(57)【要約】 【課題】同じ方向または同じ目的地に向かう自動車の数を減らし、渋滞を緩和させることができる情報管理装置および情報管理方法を提供する。【解決手段】本実施形態による情報管理装置は、記憶部と、演算部と、出力部とを備える。記憶部は、自動車を所有するオーナー側の端末から受け取った、同乗可能な出発地、同乗可能な目的地、同乗可能な日時を少なくとも含むオーナー情報を格納する。演算部は、他人の自動車に同乗を希望するゲスト側の端末から受け取った、同乗希望出発地、同乗希望目的地または同乗希望日時のいずれか含む第１ゲスト情報に基づいて、オーナー情報の中から第１ゲスト情報に適合する適合オーナー情報を検索する。出力部は、適合オーナー情報を前記ゲスト側端末へ出力する。【選択図】図１
2016162297.tif 000002
【特許請求の範囲】
【請求項１】
自動車を所有するオーナー側の端末から受け取った、同乗可能な出発地、同乗可能な目的地、同乗可能な日時を少なくとも含むオーナー情報を格納する記憶部と、
他人の自動車に同乗を希望するゲスト側の端末から受け取った、同乗希望出発地、同乗希望目的地または同乗希望日時のいずれか含む第１ゲスト情報に基づいて、前記オーナー情報の中から前記第１ゲスト情報に適合する適合オーナー情報を検索する演算部と、
前記適合オーナー情報を前記ゲスト側端末へ出力する出力部とを備えた情報管理装置。
【請求項２】
前記記憶部は、前記適合オーナー情報のうち前記ゲスト側端末で選択された選択オーナー情報、前記ゲストの同乗希望出発地、同乗希望目的地および同乗希望日時を少なくとも含む第２ゲスト情報を格納し、
前記出力部は、前記選択オーナー情報に対応するオーナー側端末へ、前記第２ゲスト情報、および、前記ゲストの同乗の許否を選択可能な許否選択情報を出力する、請求項１に記載の情報管理装置。
【請求項３】
前記選択オーナー情報に対応するオーナーが許否選択情報のうち許可を選択した場合、前記出力部は、前記選択オーナー情報に対応するオーナーの自動車に同乗可能であることを示す同乗許可通知を前記ゲスト側端末へ出力し、
前記選択オーナー情報に対応するオーナーが許否選択情報のうち拒否を選択した場合、前記出力部は、前記選択オーナー情報に対応するオーナーの自動車に同乗不可であることを示す同乗拒否通知を前記ゲスト側端末へ出力する、請求項１または請求項２に記載の情報管理装置。
【請求項４】
前記選択オーナー情報に対応するオーナーが許否選択情報のうち許可を選択した場合、前記出力部は、前記同乗許可通知を前記記憶部に登録する、請求項３に記載の情報管理装置。
【請求項５】
前記オーナー情報は、前記オーナーの自動車の車種、ナンバープレートの番号、同乗可能人数を含む、請求項１から請求項４のいずれか一項に記載の情報管理装置。
【請求項６】
前記ゲスト情報は、前記ゲストの同乗希望人数を含む、請求項１から請求項５のいずれか一項に記載の情報管理装置。
【請求項７】
記憶部、演算部および入出力部を備えたサーバ装置を用いた自動車相乗り方法であって、
自動車を所有するオーナー側の端末から受け取った、同乗可能な出発地、同乗可能な目的地、同乗可能な日時を少なくとも含むオーナー情報を受け取り、前記記憶部へ格納し、
他人の自動車に同乗を希望するゲスト側の端末から受け取った、同乗希望出発地、同乗希望目的地または同乗希望日時のいずれか含む第１ゲスト情報に基づいて、前記オーナー情報の中から前記第１ゲスト情報に適合する適合オーナー情報を検索し、
前記適合オーナー情報を前記ゲスト側端末へ送信することを具備する情報管理方法。
【請求項８】
前記適合オーナー情報のうち前記ゲスト側端末で選択された選択オーナー情報、前記ゲストの同乗希望出発地、同乗希望目的地および同乗希望日時を少なくとも含む第２ゲスト情報を受け取り、前記記憶部へ格納し、
前記選択オーナー情報に対応するオーナー側端末へ、前記第２ゲスト情報、および、前記ゲストの同乗の許否を選択可能な許否選択情報を出力することをさらに具備した請求項７に記載の情報管理方法。
【請求項９】
前記選択オーナー情報に対応するオーナーが許否選択情報のうち許可を選択した場合、前記選択オーナー情報に対応するオーナーの自動車に同乗可能であることを示す同乗許可通知を前記ゲスト側端末へ出力し、
前記選択オーナー情報に対応するオーナーが許否選択情報のうち拒否を選択した場合、前記選択オーナー情報に対応するオーナーの自動車に同乗不可であることを示す同乗拒否通知を前記ゲスト側端末へ出力する、請求項７または請求項８に記載の情報管理方法。
【発明の詳細な説明】
【技術分野】
【０００１】
本発明による実施形態は、情報管理装置および情報管理方法に関する。
【背景技術】
【０００２】
従来、自家用車は、親族、友人、知り合い等の限られた範囲のユーザによって使用される。従って、自家用車に乗車するユーザは定員未満の少人数である場合が多い。この場合、同じ目的地に向かう車の数が増大し、渋滞を引き起こす原因となっていた。また、自家用車に相乗りする場合であっても、親族、友人、知り合い等が個人的に集合場所や時間を指定して自家用車に相乗りをしていた。
【先行技術文献】
【特許文献】
【０００３】
【特許文献１】特開２００３−３３１０１３号公報
【発明の概要】
【発明が解決しようとする課題】
【０００４】
同じ方向または同じ目的地に向かう自動車の数を減らし、渋滞を緩和させることができる情報管理装置および情報管理方法を提供する。
【課題を解決するための手段】
【０００５】
本実施形態による情報管理装置は、記憶部と、演算部と、出力部とを備える。記憶部は、自動車を所有するオーナー側の端末から受け取った、同乗可能な出発地、同乗可能な目的地、同乗可能な日時を少なくとも含むオーナー情報を格納する。演算部は、他人の自動車に同乗を希望するゲスト側の端末から受け取った、同乗希望出発地、同乗希望目的地または同乗希望日時のいずれか含む第１ゲスト情報に基づいて、オーナー情報の中から第１ゲスト情報に適合する適合オーナー情報を検索する。出力部は、適合オーナー情報を前記ゲスト側端末へ出力する。
【図面の簡単な説明】
【０００６】
【図１】本実施形態による相乗りシステムの構成の一例を示すブロック図。
【図２】本実施形態による相乗りシステムの動作の一例を示すフロー図。
【発明を実施するための形態】
【０００７】
以下、図面を参照して本発明に係る実施形態を説明する。本実施形態は、本発明を限定するものではない。
【０００８】
図１は、本実施形態による相乗りシステムの構成の一例を示すブロック図である。本実施形態による相乗りシステムは、オーナー側端末１と、相乗り情報管理装置２と、ゲスト側端末３とを備えている。オーナーは、自動車の所有者であり、自動車を使用して目的地へ移動する。オーナーは、自己の自動車に他者を同乗させてもよい、あるいは、同乗させたいと考えている。
【０００９】
オーナー側端末１は、自動車を所有するオーナー側にある端末であり、パーソナルコンピュータ、タブレット端末、携帯端末等でよい。オーナー側端末１は、表示部１１と、記憶部１２と、演算部１３と、入出力部１４とを備えている。表示部１１は、ユーザインタフェースとして機能し、情報を表示することができる。また、表示部１１は、例えば、タッチパネル式表示装置等のように、オーナーが情報を入力することができるものであってもよい。勿論、オーナー側端末１は、表示部１１とは別に、キーボードやマウスのような入力装置を備えていてもよい。記憶部１２は、オーナー側の情報を格納している。演算部１３は、表示部１１、記憶部１２および入出力部１４を制御する。入出力部１４は、ネットワーク４０を介して相乗り情報管理装置２と通信可能に接続されている。これにより、オーナー側端末１は、オーナー情報を相乗り情報管理装置２へ送信し、あるいは、相乗り情報管理装置２からの情報を表示させることができる。
【００１０】
ネットワーク４０は、例えば、ＬＡＮ（Local Area Network）、または、インターネットのようなＷＡＮ（Wide Area Network）のいずれでもよい。また、ネットワーク４０は、有線または無線のいずれのネットワークでもよい。
【００１１】
一方、ゲストは、他者の自動車で目的地まで同乗を希望している。
【００１２】
ゲスト側端末３は、他者の自動車に同乗を希望するゲスト側にある端末であり、パーソナルコンピュータ、タブレット端末、携帯端末等でよい。ゲスト側端末３は、表示部３１と、記憶部３２と、演算部３３と、入出力部３４とを備えている。表示部３１の構成は、ユーザインタフェースとして機能し、情報を表示することができる。また、表示部３１は、例えば、タッチパネル式表示装置のように、オーナーが情報を入力することができるものであってもよい。勿論、ゲスト側端末３は、表示部３１とは別に、キーボードやマウスのような入力装置を備えていてもよい。記憶部３２は、ゲスト側の情報を格納している。演算部３３は、表示部３１、記憶部３２および入出力部３４を制御する。入出力部３４は、ネットワーク４０を介して相乗り情報管理装置２と通信可能に接続されている。これにより、ゲスト側端末３は、ゲスト情報を相乗り情報管理装置２へ送信し、あるいは、相乗り情報管理装置２からの情報を表示させることができる。
【００１３】
相乗り情報管理装置２は、例えば、相乗り情報を提供するインターネット上の或るサイトのサーバである。相乗り情報管理装置２は、記憶部２２と、演算部２３と入出力部２４とを備えている。相乗り情報管理装置２は、表示部をさらに備えていてもよい。
【００１４】
記憶部２２は、オーナー側端末１から受け取ったオーナー情報あるいはゲスト側端末３から受け取ったゲスト情報等を格納する。オーナー情報およびゲスト情報については、後述する。
【００１５】
演算部２３は、記憶部２２および入出力部２４を制御する。また、演算部２３は、第１ゲスト情報に基づいて、オーナー情報の中から第１ゲスト情報に適合する適合オーナー情報を検索する。
【００１６】
入出力部２４は、ネットワーク４０を介してオーナー側端末１およびゲスト側端末３と通信可能に接続されている。入出力部２４は、後述するように、オーナー情報やゲスト情報をオーナー側端末１またはゲスト側端末３から受け取ったり、オーナー情報やゲスト情報をゲスト側端末３またはオーナー側端末１へ送信したりする。
【００１７】
次に、本実施形態による相乗りシステムの動作（相乗り方法）を説明する。
【００１８】
図２は、本実施形態による相乗りシステムの動作の一例を示すフロー図である。
【００１９】
まず、オーナーは、自己の自動車で移動するときに他人（ゲスト）を同乗させてもよいと考えている。そこで、オーナーは、オーナー側端末１を用いて、相乗り情報管理装置２へアクセスする。オーナーは、ゲストを同乗させてもよい同乗可能出発地、同乗可能目的地、同乗可能日時、同乗可能人数等を含むオーナー情報をオーナー側端末１へ入力する。オーナー側端末１は、このオーナー情報を相乗り情報管理装置２へ送信する（Ｓ１０）。同乗可能出発地は、ゲストを自己の自動車に同乗（相乗り）させることのできる出発地である。同乗可能目的地は、ゲストを自動車から降車させることのできる目的地である。同乗可能日時は、同乗可能出発地において、ゲストを自己の自動車に同乗（相乗り）させる日時である。同乗可能人数は、同乗可能なゲストの人数である。オーナー情報は、さらに、オーナーの所有する自動車の情報およびオーナー自身の情報を含んでいてもよい。例えば、オーナー情報は、オーナーの自動車の車種、色、ナンバープレートの番号、同乗可能人数等の情報を含んでいてもよい。例えば、オーナー情報は、オーナーの氏名、住所、免許証番号等の情報を含んでいてもよい。
【００２０】
オーナー情報を受け取った相乗り情報管理装置２は、オーナー情報を記憶部２２へ登録する（Ｓ２０）。多くのオーナーが多くのオーナー情報を登録することによって、様々なオーナー情報が記憶部２２に登録される。
【００２１】
次に、他人の自動車に同乗を希望するゲストが、ゲスト側端末３を用いて、相乗り情報管理装置２へアクセスする。ゲストは、同乗希望出発地、同乗希望目的地、同乗希望日時、同乗希望人数等を含む第１ゲスト情報をゲスト側端末３へ入力する。ゲスト側端末３は、第１ゲスト情報を相乗り情報管理装置２へ送信する（Ｓ３０）。同乗希望出発地は、ゲストが同乗（相乗り）を希望する出発地である。同乗希望目的地は、ゲストが降車を希望する目的地である。同乗希望日時は、ゲストが同乗を希望する日時である。同乗希望人数は、同乗を希望するゲストの人数である。第１ゲスト情報は、さらに、ゲスト自身の情報を含んでいてもよい。例えば、第１ゲスト情報は、ゲストの氏名、住所等の情報を含んでいてもよい。
【００２２】
次に、第１ゲスト情報を受け取った相乗り情報管理装置２は、第１ゲスト情報を記憶部２２へ登録する。また、相乗り情報管理装置２は、同乗希望出発地、同乗希望目的地または同乗希望日時のいずれかに基づいて、記憶部２２に登録されたオーナー情報の中から第１ゲスト情報に適合する適合オーナー情報を検索する（Ｓ４０）。このとき、第１ゲスト情報に含まれる同乗希望出発地がオーナー情報の同乗可能出発地に一致すること（条件１）、第１ゲスト情報に含まれる同乗希望目的地がオーナー情報の同乗可能目的地に一致すること（条件２）、第１ゲスト情報に含まれる同乗希望日時がオーナー情報の同乗可能日時に一致すること（条件３）、第１ゲスト情報に含まれる同乗希望人数がオーナー情報の同乗可能人数以下であること（条件４）の全てが満たされたときに、演算部２３は、そのオーナー情報を適合オーナー情報とする。あるいは、演算部２３は、条件１〜条件４のうちのいずれか１つ〜３つの条件が満たされたときに、そのオーナー情報を適合オーナー情報としてもよい。演算部２３は、適合オーナー情報の数が設定値より多い場合、検索の条件を厳しくし、逆に、適合オーナー情報の数が設定値よい少ない場合、検索の条件を緩和してもよい。このように、検索の条件設定により、演算部２３は、適合オーナー情報を適度な個数に絞り込むことができる。適合オーナー情報の数の設定値は、ゲストがゲスト情報の入力時に設定可能にしてもよい。
【００２３】
次に、相乗り情報管理装置２は、検索によって抽出された適合オーナー情報をゲスト側端末３へ送信する（Ｓ５０）。ゲスト側端末３では、適合オーナー情報を表示部３１に表示する。勿論、適合オーナー情報が無い場合もある。この場合、相乗り情報管理装置２は、適合オーナー情報が無い旨をゲスト側端末３へ送信する。
【００２４】
次に、ゲストは、表示部３１に表示された適合オーナー情報から同乗を希望するオーナー情報を選択する（Ｓ６０）。適合オーナー情報が無い場合、ゲスト側端末３は、適合オーナー情報が無い旨を表示部３１に表示する。
【００２５】
ゲストが適合オーナー情報の中から選択オーナー情報を選択する場合、ゲストは、さらにゲスト側端末３に第２ゲスト情報を入力する（Ｓ７０）。第２ゲスト情報は、同乗希望出発地、同乗希望目的地および同乗希望日時を少なくとも含み、さらに、ゲスト自身の情報、例えば、ゲストの氏名、住所等の情報を含む。第２ゲスト情報は、第１ゲスト情報と同等かそれよりも詳細なゲストの情報である。
【００２６】
第２ゲスト情報が入力されると、ゲスト側端末３は、選択オーナー情報および第２ゲスト情報を相乗り情報管理装置２へ送信する（Ｓ７０）。
【００２７】
次に、相乗り情報管理装置２は、選択オーナー情報および第２ゲスト情報を記憶部２２へ登録する（Ｓ８０）。
【００２８】
次に、相乗り情報管理装置２は、選択オーナー情報に対応するオーナー側端末１へ第２ゲスト情報および許否選択情報を送信する（Ｓ９０）。許否選択情報は、第２ゲスト情報に対応するゲストを同乗させることの許否を選択可能に表示部１１に表示させる情報である。これにより、オーナーは、そのゲストを自動車に同乗させることを許可し、あるいは、同乗させることを拒否することができる。
【００２９】
次に、オーナーは、オーナー側端末１において、ゲストの同乗の許可あるいは拒否を選択する（Ｓ１００）。オーナー側端末１は、ゲストの同乗の許否結果を相乗り情報管理装置２へ送信する（Ｓ１１０）。
【００３０】
ゲストの同乗を許可する場合（Ｓ１２０のＹＥＳ）、相乗り情報管理装置２は、同乗許可通知をゲスト側端末３へ送信するとともに、同乗許可通知を記憶部２２へ登録する（Ｓ１３０）。
【００３１】
一方、ゲストの同乗を拒否する場合（Ｓ１２０のＮＯ）、相乗り情報管理装置２は、同乗拒否通知をゲスト側端末３へ送信する（Ｓ１４０）。
【００３２】
ゲスト側端末３は、同乗許可通知または同乗拒否通知を受け取ると、表示部３１にその同乗許可通知または同乗拒否通知を表示する（Ｓ１５０）。これにより、ゲストは、同乗が許可されたこと、あるいは、同乗が拒否されたことを知ることができる。
【００３３】
このように、本実施形態による相乗り情報管理装置２は、同乗者を募集する自動車のオーナーと自動者への同乗を希望するゲストとのマッチングを実行し、出発地、目的地、出発日時等の条件が適合したオーナーとゲストとを引き合わせることができる。これにより、相乗り情報管理装置２は、自動車に同乗する同乗者数を増加させ、それにより、同じ方向または同じ目的地に向かう自動車の数を減らし、渋滞を緩和させることができる。
【００３４】
本実施形態による相乗り情報管理装置における上記データ処理方法の少なくとも一部は、ハードウェアで構成してもよいし、ソフトウェアで構成してもよい。ソフトウェアで構成する場合には、データ処理方法の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、データ処理方法の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１・・・オーナー側端末、２・・・相乗り情報管理装置、３・・・ゲスト側端末、２２・・・記憶部、２３・・・演算部、２４・・・入出力部、１１，３１・・・表示部、１２，３２・・・記憶部、１３，３３・・・演算部、１４，３４・・・入出力部
【図１】
2016162297.tif 000003
【図２】
2016162297.tif 000004